(57)【要約】【課題】   本発明は、汚染した場合には広げて簡単に洗浄、殺菌が可能であって、ストレッチャーなどにも載置できる簡易担架と、着脱可能な吸水性パッドを敷設した簡易担架をも提供する。 【解決手段】  周縁部にファスナー１３を着設して、二つ折りにして三方向をファスナーで閉じるようにすることによって、簡易担架として使用する。また、二つ折りにした長手方向の外周に把持部１２を設け、裏面にベルト通しを着設することにより、持ち上げたり、ストレッチャーにベルトで固定することができる簡易担架１００とし、さらに、高吸水性プラスチックゲル を内包する吸水性パッドを担架の内面に着脱可能に敷設するための面ファスナーを着設した。【選択図】図１
2006280846.tif 000002
【特許請求の範囲】
【請求項１】
広げた状態では短手方向が１４００〜１６００ｍｍで長手方向が２０００〜２２００ｍｍで、広げて洗浄が可能なシート体で、その周縁部にファスナーが着設された簡易担架であって、折り畳んだ状態では短手方向が７００〜８００で長手方向が１０００〜１１０００ｍｍであって、折り畳んだ状態で長手方向の外縁部に８カ所の把持部を着設し、３カ所の各辺縁部が合致してファスナーで開閉可能となり、下部にストレッチャーや、担架に固定するためのベルト通しを着設し、上部になる面に透明な塩化ビニール製のポケットを有することを特徴とする簡易担架。
【請求項２】
高吸水性プラスチックゲル を内包する吸水性パッドを担架の内面に敷設するための面ファスナーを着設したことを特徴とする請求項１に記載の簡易担架。
【請求項３】
高吸水性プラスチックゲル を内包する吸水性パッドを担架の内面に着脱可能に敷設したことを特徴とする請求項１又は２に記載の簡易担架。
【発明の詳細な説明】
【技術分野】
【０００１】
本発明は、救急車両や病院等でコンパクトに折り畳んで収納できるとともに、緊急時には患者を素早く搬送することができる簡易担架に関する。
【背景技術】
【０００２】
通常使用される救急患者を搬送する担架は、強靱な布の両側に二本の棒が通されていたり、矩形枠に取っ手が取着された形状をしている。このような形状の担架は未使用時には二本の棒を巻き込んで立てかけたり、矩形枠の担架は壁に立て掛けられて保管されている。このように棒や枠を有する担架は保管する場所が限定されており、場所を取っていた。そこで、簡便に持ち運びができて、しかも、折り畳んで狭い場所でも収納が可能な合成樹脂製の袋状の担架が考案されている。
【０００３】
例えば、特許文献１の担架は「ポリオレフィン系樹脂フラットヤーンを経緯糸に用いた織布の少なくとも一面にポリオレフィン層を積層した基材からなり、表面に開口部を有する四方形状の袋体であって、、袋体表面にはメッシュシートからなる窓部および透明カバーの収納ケースを備え、袋体裏面には長尺幅方向に沿って複数本の補強部材およびベルトが固着され、該補強部材はその両端部に把手を形成し、該ベルトはその両端部に同士を着脱可能な係止具を備えたことを特徴とする袋付き簡易担架」。が開示されている。
【０００４】
特許文献２の緊急用袋式担架は「災害、事故、病気等の緊急時に怪我人、病人、遺体等の被搬送者を運ぶための用具として使用される緊急用袋式担架において、ポリエチレン基材の表面にアルミ蒸着層がけいせいされた布織布により、平面形状が略長方形の袋状に本体を形成し、且つ袋状の表面にその縁部に沿ってファスナーを配設して、上記ファスナーを介して内部に出入り可能に構成し、更にその縁部に複数の把手を取り付けるとともに、吸水性に優れた吸水層を内部に配設したことを特徴とする緊急用袋式担架。」が開示されている。
【０００５】
上記袋式簡易担架は何れも袋状になっており、汚染した場合に隅から隅まで洗浄、殺菌がし難い欠点があった。また、吸水層も内部に配設されたものは、血液、体液を吸水すると簡易担架全体を処分しなければならないという欠点があった。
【特許文献１】特開平９−１９２１７２号公報
【特許文献２】実用新案登録第３０５４８１３号公報
【発明の開示】
【発明が解決しようとする課題】
【０００６】
本発明は、汚染した場合には広げて簡単に洗浄、殺菌が可能であって、ストレッチャーなどにも載置できる簡易担架を提供するものである。また、着脱可能な吸水性パッドを有する簡易担架をも提供するものである。
【課題を解決するための手段】
【０００７】
上記課題を解決するために、鋭意検討を重ねた結果、簡易担架を一枚のシートで作成し、その周縁部にファスナーを着設して、二つ折りにして三方向をファスナーで閉じるようにすることによって、簡易担架として使用することができる。また、二つ折りにした長手方向の外周に把持部を設け、裏面にベルト通しを着設することにより、持ち上げたり、ストレッチャーにベルトで固定することができるようになった。
【０００８】
本発明の第１の特徴は、広げた状態では短手方向が１４００〜１６００ｍｍで長手方向が２０００〜２２００ｍｍで、広げて洗浄が可能なシート体で、その周縁部にファスナーが着設された簡易担架であって、折り畳んだ状態では短手方向が７００〜８００で長手方向が１０００〜１１０００ｍｍであって、折り畳んだ状態で長手方向の外縁部に８カ所の把持部を着設し、３カ所の各辺縁部が合致してファスナーで開閉可能となり、下部にストレッチャーや、担架に固定するためのベルト通しを着設し、上部になる面に透明な塩化ビニール製のポケットを有することを特徴とする簡易担架である。一枚のシートの側面にファスナーを取り付けて、二つ折りにして簡易担架とし、その上面と底面にベルト通しを付けて、患者を固定したり、ストレッチャーに固定することができるようにした。
【０００９】
本発明の第２の特徴は、高吸水性プラスチックゲル を内包する吸水性パッドを担架の内面に敷設するための面ファスナーを着設したことを特徴とする請求項１に記載の簡易担架である。高吸水性プラスチックゲル を内包する吸水性パッドを着脱可能に敷設するために雄、又は雌の面ファスナーを簡易担架の内面に貼設することによって、吸水性パッドを簡易担架の収納時や不必要な時は簡単に取り外すことができる。
【００１０】
本発明の第３の特徴は、高吸水性プラスチックゲル を内包する吸水性パッドを担架の内面に着脱可能に敷設したことを特徴とする請求項１又は２に記載の簡易担架である。救急患者の血液、体液を吸収することができると共に、断熱効果を有している。また、遺体などを搬送する場合は、高吸水性プラスチックゲルを内包する吸水性パッドを敷かないで使用することもできる。吸水性パッドが血液、体液等で汚染した場合は、高吸水性プラスチックを内包する吸水性パッドを焼却等して、外側の簡易担架は広げて洗浄、殺菌して再使用することも可能である。
【発明の効果】
【００１１】
一枚のシートの側面にファスナーを取り付けて、二つ折りにして簡易担架とし、その上面と底面にベルト通しを付けて、患者を固定したり、ストレッチャーに固定したりすることができる。簡易担架を一枚のシート状にした結果、簡易担架が汚染した場合に広げて簡単に洗浄、殺菌ができ、ストレッチャーなどにも載置することができる簡易担架となった。
【００１２】
簡易担架に高吸水性プラスチックゲルを内包する吸水性パッドを着脱可能に敷設することによって、救急患者の血液、体液を吸収することができると共に、断熱効果を有している。また、遺体などを搬送する場合は、吸水性パッドを敷かないで使用することもできる。吸水性パッドが血液、体液等で汚染した場合は、吸水性パッドを焼却処分等して、外側の簡易担架は広げて簡単に洗浄、殺菌するができる。
【発明を実施するための最良の形態】
【００１３】
以下に本発明の簡易担架について図面を用いて説明するが、本発明の簡易担架の形状は以下の実施例に限定されるものではない。
【００１４】
図１は、本発明の簡易担架１００を広げた平面図であるが、本発明の簡易担架１００は一枚のシート１１からなっている。シートの材質はポリオレフィン系樹脂、ポリエチレン系樹脂等の基材にアルミ蒸着した断熱シート、焼却可能なシートを用いることができる。特に焼却可能なシートは頻回使用後に焼却処分することができる有害ガスの発生しない材質が望ましい。図１に示すように、シート１１を広げた状態ではシート１１の周りにファスナー１３が着設され、一方側には把持部１２が着設されている。シート１１の真ん中から二つ折りにするための折り目１４が付けられている。
【００１５】
図１のシートを折り目１４から二つ折りにすると、図２に示すように袋状の担架になる。シートの折り目１４で折った袋状の担架として使用するために、袋状の担架の外側の長手方向には把持部１２が着設されている。また、担架の表側には名札等の患者の情報を入れる透明なポケットを着設すると共に、ベルト通しを２カ所着設した。担架の裏側には表側のベルト通しと同位置になるように、裏側にもベルト通しを２カ所着設した。このベルト通しは患者をベルトで固定するために使用したり、担架をストレッチャーにベルトで固定する際に使用する。
【００１６】
図３は、一枚のシートを折り畳んで袋状の担架にしてベルトを通した例を示すものである。図（３−１）は袋状の担架の表面を示し、図（３−２）は裏面を示す。このように袋状の担架にベルトを通すことによって、患者を安定に維持したり、ストレッチャーに袋状の担架をベルトで固定することができる。
【００１７】
図４は、袋状の担架に着設するベルトの平面図である。袋状の担架に使用するベルトは緊急時に使用するものであるので取り付け、取り外しが簡単なベルトが望ましい。図（４−１）はベルトの裏側を示し、図（４−２）はベルトの裏側を示している。バックル雄は両端を指で押して、バックル雌に挿入する仕組みになっている。
【００１８】
図５は、一枚のシートを広げた内面に吸水性パッドを着設するようにシートのコーナーに面ファスナーを着設した平面図である。幅５ｃｍ、長さ１０ｃｍ位の雄、又は雌の面ファスナーを袋状の担架の上下の内面隅に６個所位貼り付けておくと、吸水性パッドの着脱と交換が簡単になる。
【００１９】
図６に示すように吸水性パッドの裏面に面ファスナーの雌、又は雄の断片を袋状の担架の内面に貼設した面ファスナーに当接する位置に貼着する。このように、吸水性パッドは袋状の担架の内面の上下に貼着できるように面ファスナーの雄、又は雌の断片を貼着して、袋状の担架を使用する場合に、袋状の担架の上下の面、又は下の面だけに吸水性パッドを貼着して使用することもできる。吸水性のパッドを担架を使用する毎に新しく滅菌された吸水性パッドに取り替えることによって、常に清潔な担架として使用することができる。また、遺体等を収容する場合は、吸水パッドを敷かない状態で使用することができる。
【００２０】
図７は、一枚のシートを折り畳んで袋状の担架とし、救急患者を寝かせた状態を示している。図６に示すように、一枚のシートの折り畳む中心部分の上から１０〜２０ｃｍ位切り込みを作ってファスナーを着設すると、図７に示すように、患者を寝かせた場合、患者の顔の部分が折り返しやすくなって、患者に不安を与えない。
【図面の簡単な説明】
【００２１】
【図１】一枚のシートを広げた平面図である。
【図２】一枚のシートを折り畳んで袋状の担架とした平面図である。
【図３】一枚のシートを折り畳んだ袋状の担架にベルトを通した平面図である。
【図４】袋状の担架に着設するベルトの平面図である。
【図５】一枚のシートを広げた内面に面ファスナーを着設した平面図である。
【図６】吸水性パッドの平面図である。
【図７】一枚のシートを折り畳んで袋状の担架とした平面図である。
【符号の説明】
【００２２】
１００：袋状の簡易担架
２００：吸水性パッドを着設することができる袋状の簡易担架
１１：シート
１２：把持部
１３：ファスナー
１４：二つ折りにする部分
１５：名札入れ
１６：ベルト通し
１７：ベルト通し
１８：ベルト
１９：バックル雄
２０：バックル雌
２１：切り込み
２２：吸水性パッド
２３：面ファスナー（雄、又は雌）
２４：面ファスナー（雌、又は雄）
【図１】
2006280846.tif 000003
【図２】
2006280846.tif 000004
【図３】
2006280846.tif 000005
【図４】
2006280846.tif 000006
【図５】
2006280846.tif 000007
【図６】
2006280846.tif 000008
【図７】
2006280846.tif 000009